(57)【要約】【課題】容器本体後部へ枢着させて容器本体の開口を開閉自在に閉塞する蓋体の開放を、幼児等には困難で、かつ大人には容易として、幼児が無断で開蓋して悪戯できないよう設けた。【解決手段】上記蓋体11の前面へ凹状嵌合部を穿設すると共に、蓋体前方の容器本体部分へ前後方向への摺動が自在なロック板41後端部が上記凹状嵌合部内へ入って開蓋不能となり、又ロック板前方摺動時には上記嵌合凹部内からロック板後端部が抜出して開蓋可能とした。【選択図】図１
2006182433.tif 000002
【特許請求の範囲】
【請求項１】
容器本体１後部に回動自在に連結されて、容器本体の上面開口３を開閉自在とする蓋体11の前面へ凹状嵌合部を穿設すると共に、蓋体前面前方の容器本体部分へ、前後方向への摺動が自在にロック板41を設け、
蓋体閉塞状態でロック板41を後方へ押込み摺動させることで、該ロック板後端部が上記凹状嵌合部内へ嵌合して開蓋を不能に、かつ該蓋体ロック状態からロック板41を前方引出し摺動させることで、凹状嵌合部内からロック板後端部が抜出して開蓋可能とした
ことを特徴とする蓋体付き容器。
【請求項２】
上記ロック板41の前後方向中間部に弾性圧縮部44を形成すると共に、蓋体前端部の下面ないしロック板41の後端面の一方ないし双方へ下後方への傾斜面21を付形した
ことを特徴とする請求項１記載の蓋体付き容器。
【請求項３】
上記蓋体前面前方の容器本体部分へ、前後方向への揺動が自在に枢着させた、摺動路付きの揺動板31を枢着させて、上記ロック板41を上記摺動路内へ貫通させ、
又揺動板31の前端部下面を蓋体11前面へ付設した係止突起16上面へ係合させると共に、上記枢着部分よりも前方の揺動板部分から板バネ35を垂下させて容器本体の上面一部へ当接させておき、
上記ロック解除状態でも、上記揺動板前端部下面への係止突起16の係合で開蓋不能とすると共に、揺動板31前部を板バネの弾性に抗して押下げたとき、上記枢着部を中心とする揺動で揺動板31の前面が係止突起16よりも前上方へ移動して、開蓋が可能に形成した
ことを特徴とする請求項１又は２記載の蓋体付き容器。
【請求項４】
上記摺動路を左右に並設してそれぞれの摺動路内へロック板41を貫通させた
ことを特徴とする、請求項３記載の蓋体付き容器。
【請求項５】
上記ロック板41の前部下面へ脚48を付設すると共に容器本体上面へ高部、低部を形成して、ロック板後退時にあっては高部上面へ脚48下面が接して下降不能に、ロック板前進時にあっては低部上方へ脚48が移動して、該位置でだけ、揺動板31前部の押下げが可能に形成した
ことを特徴とする、請求項３、又は４記載の蓋体付き容器。
【請求項６】
上記蓋体11を開蓋方向へ付勢した
ことを特徴とする、請求項１、２、３、４又は５記載の蓋体付き容器。
【発明の詳細な説明】
【技術分野】
【０００１】
本発明は蓋体付き容器に関する。
【背景技術】
【０００２】
ウエットティッシュ等収納容器としての蓋体付き容器が知られており、その蓋体の開閉を、蓋体前方の容器本体部分へ枢着させた押釦前部を押下げすると、該押釦後部が蓋体前部を押上げて開蓋し、又蓋体前部押下げで蓋体前部から垂下するフックが容器本体が有する係合突条下面へ係合して蓋体閉塞状態を保つよう設けている（特許文献１）。
【特許文献１】特開２０００- ２１１６６１号公報
【発明の開示】
【発明が解決しようとする課題】
【０００３】
上記従来容器は、押釦押下げによって容易に開蓋できるから、幼児であっても容易に開蓋でき、そのため容器体内収納物を無駄に使用することがあり、又その収納物が薬品等であれば、身体的危険も生ずるおそれがある。
【０００４】
力の弱い幼児等にとっては一般に下方への押下げ操作よりも水平な前後方向への押込み引戻し操作は行い難い。本発明はこの点に着目して、容器に水平な前後方向へ摺動させるロック板を設け、該ロック板の後方摺動で蓋体の閉塞状態を保持し、又前方摺動でロック板が蓋体から外れて開蓋できるよう設け、又該操作を基本として該操作に押下げ操作を加えたり、それ等操作を二重に行うことを必要としたり、ロック板前進状態で押下げ操作を行った場合にだけ開蓋できるようにしたり、更に蓋体を開蓋方向へ付勢させたりすることで、幼児等にとっては開け難くて大人にとては開け易く、使い勝手のよい容器とすることを目的とするものである。
【課題を解決するための手段】
【０００５】
第１の手段として容器本体１後部に回動自在に連結されて、容器本体の上面開口３を開閉自在とする蓋体11の前面へ凹状嵌合部を穿設すると共に、蓋体前面前方の容器本体部分へ、前後方向への摺動が自在にロック板41を設け、
蓋体閉塞状態でロック板41を後方へ押込み摺動させることで、該ロック板後端部が上記凹状嵌合部内へ嵌合して開蓋を不能に、かつ該蓋体ロック状態からロック板41を前方引出し摺動させることで、嵌合凹部内からロック板後端部が抜出して開蓋可能とした。
【０００６】
第２の手段として、上記第１の手段を有し、かつ上記ロック板41の前後方向中間部に弾性圧縮部44を形成すると共に、蓋体前端部の下面ないしロック板41の後端面の一方ないし双方へ下後方への傾斜面21を付形した。
【０００７】
第３の手段として、上記第１又は第２の手段を有し、かつ上記蓋体前面前方の容器本体部分へ、前後方向への揺動が自在に枢着させた、摺動路付きの揺動板31を枢着させて、上記ロック板41を上記摺動路内へ貫通させ、
又揺動板31の前端部下面を蓋体11前面へ付設した係止突起16上面へ係合させると共に、上記枢着部分よりも前方の揺動板部分から板バネ35を垂下させて容器本体の上面一部へ当接させておき、
上記ロック解除状態でも、上記揺動板前端部下面への係止突起16の係合で開蓋不能とすると共に、揺動板31前部を板バネの弾性に抗して押下げたとき、上記枢着部を中心とする揺動で揺動板31の前面が係止突起16よりも前上方へ移動して、開蓋が可能に形成した。
【０００８】
第４の手段として、上記第３の手段を有し、かつ上記摺動路を左右に並設してそれぞれの摺動路内へロック板41を貫通させた。
【０００９】
第５の手段として、上記第３又は第４の手段を有し、かつ上記ロック板41の前部下面へ脚48を付設すると共に容器本体上面へ高部、低部を形成して、ロック板後退時にあっては高部上面へ脚48下面が接して下降不能に、ロック板前進時にあっては低部上方へ脚48が移動して、該位置でだけ、揺動板31前部の押下げが可能に形成した。
【００１０】
第６の手段として、上記第１、第２、第３、第４又は第５の手段を有し、かつ上記蓋体11を開蓋方向へ付勢した。
【発明の効果】
【００１１】
請求項１記載のようにすることで、既述従来例に比べて開蓋操作を行い難く、幼児等による開蓋を防止できる。
【００１２】
請求項２のようにすることで閉蓋操作が容易となる。
【００１３】
請求項３、４又は５のようにすることで、幼児等にとっての開蓋が請求項１の場合よりも請求項３の場合が、又請求項３の場合よりも請求項４の場合が、更に請求項４の場合よりも請求項５の場合が、それぞれ一段と開蓋し難くすることが出来、大人にとっては操作順序を説明書等で知得しておけばよいから開蓋容易である。
【００１４】
請求項６のようにすることで、容器の使い勝手をよくすることが出来る。
【発明を実施するための最良の形態】
【００１５】
以下図面について説明すると、１は容器本体で、頂壁２中央部を開口３し、周壁４の下端面は底蓋５で閉塞としている。該容器本体頂壁後部（図右方）の左右方向中間部から前方へ前部を巾狭とした第１凹部６が穿設させてあり、該第１凹部の中央部に上記開口３を有する第２凹部７を、又第１凹部の前部に後述脚下降用の第３凹部８を、第１凹部の後部に第４凹部９を、それぞれ形成している。
【００１６】
上記第１凹部６の前部を除く部分を蓋体11で閉塞する。該蓋体は図２が示すように後部の左右両側からピン12を左右外方へ突設して、これ等ピンを第１凹部後方左右両側に設けた軸穴内へ嵌合させ、又第２凹部７の内壁面へ嵌合させてシール壁13を垂下し、蓋体前端からは後述ロック板後端部嵌合用の凹状嵌合部としての横長孔14を有する前壁15を垂下させている。又その横長孔の左右両側から係止突起16を前方突出させている。
【００１７】
図示例にあっては蓋体後縁の左右方向中間部からヒンジ17を介して突出させた係止板18を、該係止板と蓋体後部下面との間へ、上下逆向き凹字形状に設けた板バネ19の連結板部を挟み、かつ係止板基部を板バネの平行な脚状板部20で跨がせ、第４凹部９内へ脚状板部20を突出させた状態で折返して、蓋体後部下面へ設けた嵌合部内へ嵌着させており、開蓋状態から既述ピン12を中心として閉蓋方向へ蓋体11を回動させると、板バネ19が図１のように弾性弯曲されるよう設けている。
【００１８】
上記蓋体11の前方部分へは、図１、図２が示すように揺動板31を枢着させている。揺動板は後端部左右両側からピン32を突出させて第１凹部６の内壁に穿設した軸穴内へ嵌合させており、又図１、図３および図４が示すように前部下面から後述のロック板保持用の断面Ｌ字形のガイド板33を左右一対宛各下辺33a を向合せとして垂下している。又それ等左右各一対のガイド板間の揺動板部分下面からは板バネ35を下前方へ向けて突出させ、第１凹部６底板上面へ当接させている。揺動板31の前端縁は第３凹部８の前端縁上方よりも後方までとし、後端は蓋体閉塞状態において既述蓋体前面に付設した係止突起16上面へ接して蓋体の開蓋を防止するものとする。
【００１９】
上記揺動板の左右各一対のガイド板33間へは、図４が示すロック板41を前後方向への摺動が可能に挟持させる。即ちそれ等各一対のガイド板は、それぞれロック板の摺動路を形成するものであり、よって該摺動路を摺動用透孔に代えることが出来る。
【００２０】
ロック板も左右一対とし、それ等両ロック板を前後方向中間部で可撓片42で一体に連結している。各ロック板は、前後方向へ長く設けた主板43の中間部を弾性圧縮部44としてのリング部とし、又前後方向中間部から側方への張出し板45を介して指掛け板46を主板43前部と平行に設け、主板前端よりも前方まで突出させてその前端縁から指掛け突部47を起立させている。上記張出し板45は可撓片42を有しない側の主板43側面から外方突出させている。該ロック板は、上記指掛け板46を、既述各一対のガイド板の垂下辺33ｂ間へ入れ、又ガイド板の下辺33a 上へ載置させて装着させる。該ロック板は、左右それぞれ独立に前後方向へ摺動可能であり、その一方だけが前進し、他方が後方へ位置する状態では可撓片42が変形してその状態を保つものとする。
【００２１】
図１と図２とは両ロック板が共に後方へ押込みされた状態を示し、該状態にあってはロック板の主板後端部が蓋体前壁15の横長孔14内へ挿入されて、該状態での開蓋は不能であり、又該状態では図１が示すようにロック板41の前部下面へ付設された脚48が第１凹部の底面へ接するため、ロック板前部が下降することがない。
【００２２】
上記状態から図３が示すようにロック板41を前進させると、主板43後部は横長孔14内から抜出し、又脚48は第３凹部８上方へ移動する。主板後部が横長孔内からは抜出すことで、ロック状態は解除されるが、このときはまだ蓋体前壁の係止突起16が、揺動板31の後端部下面へ接しているため開蓋出来ない。開蓋のためには、該図３の位置から更にロック板前端の指掛け突部47を下方へ押下げる。該押下げにより揺動板31に装着されているロック板41前部はピン32を中心として揺動板前部と共に下降し、該揺動により揺動板後端縁は上前方へ移動して上記係止突起16から外れ、よって開蓋方向へ付勢されていた蓋体11は開蓋する。
【００２３】
閉蓋は通常図３のようにロック板を前進させた状態で行う。揺動板31は前部押下げ後に板バネ35の反揆で直ちに弾性復帰しているから、蓋体前部の押下げにより蓋体前壁の係止突起16が揺動板31の後端縁に接するが、強制押下げによって揺動板後端を乗越えさせ、該状態からロック板41を後方へ押込みすることで、ロック板の主板43後部は横長孔14内へ入り、又脚48は図１のように第１凹部の底面上へ乗上げる。
【００２４】
ロック板41を後退させたままで蓋体前部を押下げた場合は、図１が示すようにロック部材後端部が揺動板31後端よりも後方へ突出しているため、蓋体前壁15の下端縁がロック板41の後端上面へ当接するが、その前壁下面の前面又はロック板後端面の一方ないし双方を下後方への傾斜面21としておくことで、蓋体前壁15がロック板を前方へ押圧することとなり、するとロック板のリング部が圧縮され、該リング部後方のロック板部分は蓋体前壁15に押されて前進し、横長孔14がロック板後端の位置まで下降したとき、上記リング部が形成する弾性圧縮部44が弾性復元してその横長孔14内へロック板後端が嵌合する。
【００２５】
上記実施形態にあっては、蓋体11を開蓋方向へ付勢する板バネ19や、ロック解除状態からの開蓋を阻止する揺動板31を設けたが、これ等の一方ないし双方を除去してもよく、又二連としたロック板41を単数とすることも出来る。揺動板31を除去し、かつロック板41を単数とする場合は、ロック板を主板43だけとして該主板両側を第１凹部の前方左右内壁に設けた前後方向への横溝内へ揺動可能に嵌合させることが考えられる。
【００２６】
尚既述部材はすべて合成樹脂材で成形している。
【図面の簡単な説明】
【００２７】
【図１】一部を切欠いて示す、本発明の側面図である。
【図２】図１容器の平面図である。
【図３】容器要部をロック解除状態で示す断面図である。
【図４】図３要部を分解図で示す斜視図である。
【符号の説明】
【００２８】
１  容器本体                        ２  頂壁
３  開口                            ６  第１凹部
７  第２凹部                        ８  第３凹部
９  第４凹部                        11  蓋体
12  ピン                            14  横長孔
15  前壁                            16  係止突起
19  板バネ                          31  揺動板
32  ピン                            33  ガイド板
41  ロック板                        42  可撓片
43  主板                            46  指掛け板
48  脚
【図１】
2006182433.tif 000003
【図２】
2006182433.tif 000004
【図３】
2006182433.tif 000005
【図４】
2006182433.tif 000006